(57)【要約】【課題】１種類１枚の布帛の中にパッチワークで組み合わせる大きさの複数の布片が揃い、これら複数の布片の模様や色彩がそれぞれ変化しており、これら複数の布片をカットするだけでパッチワークに必要な布片セットを得ることができ、且つ、布帛にカット残りなどの無駄が少ないパッチワーク用布帛を提供する。【解決手段】１種又は２種以上の多角形からなる複数の区画を規則的に組み合わせた幾何学柄が捺染されてなる１枚の布帛であって、当該幾何学柄は、各区画を布帛の長尺方向及び幅方向にそれぞれ複数段に積み重ねてなり、各区画の中は、その殆どが異なる模様又は異なる色彩で構成されており、これらの異なる模様又は異なる色彩は、インクジェット手段により捺染されている。【選択図】図１
2013241714.tif 000002
【特許請求の範囲】
【請求項１】
１種又は２種以上の多角形からなる複数の区画を規則的に組み合わせた幾何学柄が捺染されてなる１枚の布帛であって、
前記幾何学柄は、前記区画を布帛の長尺方向及び幅方向にそれぞれ複数段に積み重ねてなり、
前記区画の中は、その殆どが異なる模様又は異なる色彩で構成されており、
前記異なる模様又は異なる色彩は、インクジェット手段により捺染されてなることを特徴とするパッチワーク用布帛。
【請求項２】
前記複数の区画のうち一部の区画には、当該複数の区画を組み合わせてなる前記幾何学柄の全体が縮小された模様として捺染されてなることを特徴とする請求項１に記載のパッチワーク用布帛。
【請求項３】
前記区画は、正三角形、二等辺三角形、正方形、長方形、菱形、台形及び正六角形の群より選ばれた１種又は２種以上の多角形からなることを特徴とする請求項１又は２に記載のパッチワーク用布帛。
【請求項４】
前記区画のそれぞれの境界に沿って縫い代及び切断線を設けてなることを特徴とする請求項１〜３のいずれか１つに記載のパッチワーク用布帛。
【請求項５】
前記布帛は綿織物であって、前記模様又は色彩が反応染料により捺染されてなることを特徴とする請求項１〜４のいずれか１つに記載のパッチワーク用布帛。
【発明の詳細な説明】
【技術分野】
【０００１】
本発明は、模様や色彩の異なる複数の布片を縫い合わせて１枚の大きな布を作るパッチワークに使用するための複数の布片を組み合わせてなるパッチワーク用布帛に関するものである。
【背景技術】
【０００２】
現在、手芸分野でパッチワーク、或いは、パッチワーク・キルト作りがブームになっている。本来、パッチワーク・キルトは、１６２０年にイギリス人清教徒達が自由を求めてメイフラワー号に乗りアメリカに渡ったことに起源を発する。彼らは、着古した衣服の端切れをつなぎ合わせてパッチワーク・キルトを作り、寝具や透間風を防ぐ壁掛けなどを作っていた。この頃は布を大きくするためにパッチワークをしており、デザイン性のあるものはなかったが、このパッチワーク・キルトの伝統がアメリカの西部開拓時代を経て現在に残されていた。
【０００３】
このパッチワーク・キルトが現在において再評価されたのは、１９７１年にジョナサン・ホルスタインが発表したコレクション「アブストラクト・デザイン・イン・アメリカ」によるところにある。この発表を契機にパッチワーク・キルトが再び評価され始め、昔の物ばかりでなく、新しい手法による斬新なデザインのパッチワーク・キルトが作り出されるようになってきた。現代人の心を慰める手段のひとつとして、再びパッチワーク・キルト作りが復活している。
【０００４】
現在におけるパッチワーク、或いは、パッチワーク・キルト作りは、趣味の分野に属する。パッチワーク・キルト作りをする消費者は、その材料を古着や端切れによるのではなく、自分の趣味に合った模様や色彩の複数の布帛を購入し、これらを小さな布片にカットしてからパッチワークで組み合わせ、自由な表現のパッチワーク・キルト作りを行っている。
【発明の概要】
【発明が解決しようとする課題】
【０００５】
ところで、パッチワーク・キルト作りをする消費者が布帛を購入する際には、布帛を１ｍ前後の全幅で、長さ１ｍ或いは５０ｃｍという単位で購入しなければならない。また、パッチワークで組み合わせる布片の数だけ布帛を購入しなければならないという問題があった。更に、購入した布帛からそれぞれ使用する小さな布片をカットすると、その多くが残ってしまうという問題があった。また、自分のイメージに合った模様や色彩の布帛を揃えても、それらの織物の種類が統一されておらず各布片の厚みや織組織が異なりパッチワークで組み合わせた際に、縫い合わせにくく全体の統一感が表現できないという問題があった。
【０００６】
一方、手芸店ではこれらの消費者の要望に応えて、よく似た種類の織物で模様や色彩を変化させ、全幅で所定長さの複数の布帛を組合せたものをセットにして販売している。しかし、この場合においても、織物の種類を統一するには限界があり、また、購入した布帛のセットから使用する小さな布片をカットすると、その多くが残ってしまうという問題は残っている。
【０００７】
また、手芸店がパッチワークで組み合わせる織物の模様や色彩を変化させ、これらを小さな布片にカットしてから組み合わせ、布片セットとして販売することが考えられる。しかし、この場合においては、織物の種類を統一することが難しく、また、布片セットを作成する労力が大きく、布片セットの販売価格が高くなって消費者が購入し辛いという問題があった。
【０００８】
そこで、本発明は、以上のようなことに対処して、１種類１枚の布帛の中にパッチワークで組み合わせる大きさの複数の布片が揃い、これら複数の布片の模様や色彩がそれぞれ変化しており、これら複数の布片をカットするだけでパッチワークに必要な布片セットを得ることができ、且つ、布帛にカット残りなどの無駄が少ないパッチワーク用布帛を提供することを目的とする。
【課題を解決するための手段】
【０００９】
上記課題の解決にあたり、本発明者らは、鋭意研究の結果、１枚の布帛を有効に利用して最小の面積にパッチワークに必要な複数枚の布片を組み合わせて捺染することにより、上記課題を解決できることを見出し本発明の完成に至った。
【００１０】
即ち、本発明に係るパッチワーク用布帛は、請求項１の記載によると、
１種又は２種以上の多角形からなる複数の区画を規則的に組み合わせた幾何学柄が捺染されてなる１枚の布帛であって、
前記幾何学柄は、前記区画を布帛の長尺方向及び幅方向にそれぞれ複数段に積み重ねてなり、
前記区画の中は、その殆どが異なる模様又は異なる色彩で構成されており、
前記異なる模様又は異なる色彩は、インクジェット手段により捺染されてなることを特徴とする。
【００１１】
また、本発明は、請求項２の記載によると、請求項１に記載のパッチワーク用布帛において、
前記複数の区画のうち一部の区画には、当該複数の区画を組み合わせてなる前記幾何学柄の全体が縮小された模様として捺染されてなることを特徴とする。
【００１２】
また、本発明は、請求項３の記載によると、請求項１又は２に記載のパッチワーク用布帛において、
前記区画は、正三角形、二等辺三角形、正方形、長方形、菱形、台形及び正六角形の群より選ばれた１種又は２種以上の多角形からなることを特徴とする。
【００１３】
また、本発明は、請求項４の記載によると、請求項１〜３のいずれか１つに記載のパッチワーク用布帛において、
前記区画のそれぞれの境界に沿って縫い代及び切断線を設けてなることを特徴とする。
【００１４】
また、本発明は、請求項５の記載によると、請求項１〜４のいずれか１つに記載のパッチワーク用布帛において、
前記布帛は綿織物であって、前記模様又は色彩が反応染料により捺染されてなることを特徴とする。
【発明の効果】
【００１５】
上記構成によれば、本発明に係るパッチワーク用布帛は、１枚の布帛からなる。この１枚の布帛には幾何学柄が捺染されており、この幾何学柄は１種又は２種以上の多角形からなる複数の区画を規則的に組み合わせたものからなる。この幾何学柄の各区画は、パッチワークで組み合わせる各布片に相当する。本発明においては、これらの区画をカットして分割することにより、パッチワークで組み合わせる大きさの複数の布片からなる布片セットを簡単に得ることができる。
【００１６】
このことにより、パッチワーク・キルト作りをする消費者は、パッチワークに必要な複数の布帛を全幅で単位長さだけ購入するという不都合がない。また、消費者は、本発明に係るパッチワーク用布帛を１枚購入するだけでよく、パッチワークで組み合わせる布片の数だけ布帛を購入する必要がない。
【００１７】
また、カット後の布片セットは、１枚の布帛からカットしたものであり、織物の種類が統一されており各布片の厚みや織組織が同じものとなる。このことにより、これらの布片セットをパッチワークで組み合わせた際に、縫い合わせが容易で全体の統一感が表現できる。更に、カット残りがほとんど生じることがなく、消費者は余分な買い物をする必要がない。
【００１８】
また、上記構成によれば、各区画の中は、その殆どが異なる模様又は異なる色彩で構成されている。そこで、消費者は、１枚の布帛から各布片をカットして、この布片セットを自分のイメージに合わせて自由に配置することができる。このことにより、消費者は、本発明に係るパッチワーク用布帛を１枚購入するだけで、変化に富んで個性的なパッチワークを容易に行うことができる。
【００１９】
また、上記構成によれば、これらの異なる模様又は異なる色彩は、インクジェット手段により捺染されている。インクジェット手段による捺染は、布帛の各部位に自由な模様又は色彩を捺染する場合に適するとして本発明において採用する。そこで、パッチワーク用布帛の生産者は、種類の異なる捺染模様を別々の布帛に捺染することなく、１種類１枚の布帛に捺染することができ、布片セットを準備する労力が大幅に軽減できる。
【００２０】
また、１枚の布帛中に捺染する各区画の模様と色彩は、自由に組み合わせることができる。そこで、生産者は、消費者の好みや流行に合わせて、統一したイメージを持つシリーズ模様を１枚の布帛中に表現することができる。このことは、消費者にとっても購入に際して選択幅が広がり、パッチワーク・キルトの分野で新たな消費者の発掘と人気の向上に繋げることができる。
【００２１】
また、上記構成によれば、幾何学柄を構成する複数の区画のうち一部の区画、例えば、１つの区画に、複数の区画を組み合わせた幾何学柄の全体が縮小された模様として捺染するようにしてもよい。そこで、パッチワーク用布帛を購入しようとする消費者は、この縮小模様の区画を見るだけで全体のイメージを掴むことができる。このことにより、手芸店での販売に際して、パッチワーク用布帛が折り畳まれている場合でも、この縮小模様の区画が表面に現れているだけで、パッチワーク用布帛の全体を広げて各区画の模様や色彩を確認することなく、消費者が購入することができる。
【００２２】
更に、上記構成によれば、幾何学柄を構成する各区画は、正三角形、二等辺三角形、正方形、長方形、菱形、台形及び正六角形の群より選ばれた１種又は２種以上の多角形からなるようにしてもよい。これらの多角形は、パッチワークに一般的に使用される形状であり、各辺の長さが同じでありパッチワークで縫い合わせることが容易となる。
【００２３】
また、上記構成によれば、幾何学柄を構成する各区画のそれぞれの境界に縫い代及び切断線を設けるようにしてもよい。このことにより、消費者がパッチワーク用布帛をカットし、縫い合わせるときに便利である。
【００２４】
また、上記構成によれば、パッチワーク用布帛は綿織物であってもよい。この時には、各区画の模様又は色彩を反応染料により捺染するようにしてもよい。綿素材は、自然感の高い素材であり、パッチワークに馴染む素材として消費者の人気が高い。
【００２５】
よって、本発明は、１種類１枚の布帛の中にパッチワークで組み合わせる大きさの複数の布片が揃い、これら複数の布片の模様や色彩がそれぞれ変化しており、これら複数の布片をカットするだけでパッチワークに必要な布片セットを得ることができ、且つ、布帛にカット残りなどの無駄が少ないパッチワーク用布帛を提供することができる。
【図面の簡単な説明】
【００２６】
【図１】本実施形態に係るパッチワーク用布帛の実施例１を示す概略図である。
【図２】本実施形態に係るパッチワーク用布帛の実施例２を示す概略図である。
【図３】本実施形態に係るパッチワーク用布帛の実施例３を示す概略図である。
【図４】本実施形態に係るパッチワーク用布帛の実施例４を示す概略図である。
【発明を実施するための形態】
【００２７】
本実施形態においては、まず、パッチワークに使用する布片の形状と大きさを決定する。この布片の形状には、パッチワークでそれぞれの布片を縫い合わせることから、その殆どが同じ長さの辺をもつ同一形状の多角形であることが好ましい。また、これらの多角形には、左右が線対称であるものが好ましく、例えば、正三角形、二等辺三角形、正方形、長方形、菱形、台形及び正六角形などがより好ましい。
【００２８】
また、本実施形態においては、布片の形状として採用した多角形を規則的に組み合わせて幾何学柄を構成する。つまり、この幾何学柄は、多角形を布帛の長尺方向及び幅方向にそれぞれ複数段、積み重ねて構成する。多角形が同一形状の正方形の場合、この幾何学柄は格子柄となる。また、多角形が正六角形の場合、この幾何学柄はハニカム柄となる。このとき、正方形、長方形、菱形及び正六角形などは、そのままの方向で規則正しく配列する。一方、正三角形、二等辺三角形及び台形などは、左右又は上下方向に１８０°回転させた状態で配列する。このようにして、隙間をなくして規則的に充填配列する。
【００２９】
また、布片の大きさは、上述のように配列した幾何学柄全体が使用する布帛の全幅以内に収まることが必要である。従って、採用した多角形の形状と大きさを組み合わせて、使用する布帛の全幅以内に収まり、且つ、布帛に無駄が生じないように配列することが好ましい。このようにして、パッチワークに必要な枚数の布片を１枚の布帛に効率よく配列する。
【００３０】
また、１枚の布帛に効率よく配列した各多角形それぞれの境界に沿って、縫い代及び切断線を設けるようにしてもよい。パッチワーク用布帛に切断線を設けることにより、消費者が布帛をカットして各布片にする場合、容易にカットする部位を判断することができる。一方、パッチワーク用布帛に縫い代を設けることにより、消費者がカットした各布片を縫い合わせるときにも、その部位を容易に判断することができる。
【００３１】
このように、パッチワーク用布帛に設ける縫い代及び切断線は、特に隣接する多角形の模様と色彩が込み入っており境界が明瞭でない場合に有効である。また、これらの縫い代及び切断線は、両方を合わせて設ける必要はなく、縫い代のみ、切断線のみ、或いは、縫い代と切断線の両方を設けるようにしてもよい。なお、隣接する多角形の模様と色彩がかなり異なっており境界が明瞭である場合には、あえて切断線を設ける必要はない。
【００３２】
次に、採用した多角形の中の模様及び色彩を決定する。つまり、１枚の布帛に収まる幾何学柄を構成する複数の多角形について、それぞれの模様及び色彩を決定する。なお、この模様及び色彩については、全ての多角形が無地であってもよく、或いは、全ての多角形が模様を有していてもよい。更に、全ての多角形のうち、一部が無地でその他が模様を有していてもよい。
【００３３】
無地を採用する場合には、各多角形がそれぞれ異なる色彩を持つようにすることが好ましい。また、模様を採用する場合には、各多角形が同じ模様を有していてもよく、或いは、それぞれ異なる模様を有していてもよい。更に、同じ模様を採用する場合でも、配色の異なる模様を採用することが好ましい。
【００３４】
また、１枚の布帛に収まる幾何学柄を構成する複数の多角形の模様及び色彩は、統一したテーマを背景に作成するようにしてもよい。例えば、春夏秋冬などの季節、山や海、動植物、各地の風景、或いは、抽象的な模様など何らかの統一テーマを設けるようにすると消費者が興味を抱くこととなる。
【００３５】
ここで、１枚の布帛に収まる幾何学柄を構成する複数の多角形について、その一部の多角形、例えば、１つの多角形の模様を１枚の布帛に収まる幾何学柄（模様と色彩を配したもの）を縮小したものとしてもよい。これは、次のような理由による。例えば、本実施形態に係るパッチワーク用布帛を手芸店などで販売する場合、製造段階から流通、販売に亘って布帛を折り畳み包装して流通する。この場合、折り畳み包装の表面を透明包装として、全体の模様及び色彩が縮小された部分が一目で確認できるようにする。このことにより、パッチワーク・キルト作りをしようとする消費者が、販売されているパッチワーク用布帛を包装から出して広げることなく、全体の模様及び色彩を容易に把握することができる。
【００３６】
次に、これまでに決定した複数の多角形からなる幾何学柄、各多角形の模様及び色彩、並びに、必要な場合には縫い代及び切断線は、これらをまとめてインクジェット捺染機により同時に布帛に捺染する。
【００３７】
ここで、本実施形態に係るパッチワーク用布帛に使用する布帛は、どのようなものであってもよい。通常、パッチワーク、或いは、パッチワーク・キルト作りには織物を使用することが多いが、これに替えて、編物やフェルトなどの不織布を使用するようにしてもよい。
【００３８】
また、これらの布帛を構成する繊維は、特に制限されるものではなく、一般に衣料、産業資材として使用されるものでよい。例えば、ポリエステル、ナイロン、アクリルなどの合成繊維、アセテートなどの半合成繊維、綿、麻などの天然セルロース系繊維、レーヨン、キュプラ、ポリノジックまたはテンセルなどの再生セルロース系繊維、羊毛、絹などのタンパク繊維などがある。これらの繊維は、単独または混紡、混繊、交織、交編など、二種類以上の繊維が任意の割合で混用されていてもよい。
【００３９】
また、本実施形態に使用するインクジェット捺染機は、織編物のデジタルプリントに通常使用されるものを使用すればよく、特に限定するものではない。これらのインクジェット捺染機には、長尺方向に走行する布帛に対して幅方向に移動する小型のインクジェット・ヘッドから印捺する走行式インクジェット捺染機と、長尺方向に走行する布帛に対して布帛幅に固定された大型のインクジェット・ヘッドから印捺する固定式インクジェット捺染機が使用されている。また、インクジェット捺染機の吐出方式には、コンテニュアス型とオンデマンド型があり、また、オンデマンド型には、ピエゾ方式とサーマル方式などがある。
【００４０】
また、インクジェット捺染機に使用するインクは、捺染しようとする布帛を構成する繊維の種類により、適宜選択すればよい。従って、ポリエステル繊維に対しては分散染料インクを使用し、ナイロン、羊毛、絹には酸性染料インクを使用し、綿、レーヨン繊維には反応染料インクを使用する。一方、顔料インクは、いずれの繊維にも、また、二種類以上の繊維が任意の割合で混用されていても使用することができる。
【００４１】
ここで、本発明においてインクジェット捺染機を採用する理由について説明する。布帛の一般的な捺染には、従来からローラー捺染機、ロータリースクリーン捺染機及びフラットスクリーン捺染機などが使用されている。これらの捺染機には、それぞれ表現する模様域に特徴があり、通常の布帛捺染においては、表現する模様の種類により使い分けが行われている。
【００４２】
従って、パッチワーク用布片のように変化のある複数の模様を捺染するには、それぞれの模様に適した捺染機を使用して、模様毎に別々に捺染を行う必要がある。例えば、細線模様に関してはローラー捺染機が適しており、フラットスクリーン捺染機は劣り、ロータリースクリーン捺染機は不適切である。逆に、広い面積を持つ模様に関してはフラットスクリーン捺染機やロータリースクリーン捺染機が適している。
【００４３】
また、これらの捺染機は、いずれも模様毎にそれぞれ配色数に合わせた複数の捺染型を準備しなければならない。これらの捺染型には、使用する枚数に相当する製造コストが必要であり、同じ捺染型を使用して大量の捺染布帛を生産しなければ捺染型の製造コストを吸収することができない。また、同じ模様であっても配色が変われば、配色毎に別々に捺染を行う必要がある。
【００４４】
パッチワーク用布片の捺染においては、複数の模様及び複数の配色に対応する捺染を行う必要がある。そのためには、模様毎にそれぞれ複数の捺染型を準備し、且つ、模様毎、配色毎に別々に捺染を行う必要がある。このことにより、各模様、各配色で使用量の少ないパッチワーク用布片の捺染においては、非常に多くの捺染型を必要とするだけでなく、捺染型の製造コストと、それぞれ別個に行われる捺染作業のコストが大きくなる。
【００４５】
更に、上記各捺染機においては、型送りといわれる模様のリピート長さに制限がある。従って、このリピート長さによってパッチワーク用布片の模様が制限され、自由な大きさのパッチワーク用布片を製造することが難しい。このように、従来の各捺染機を使用した場合には、模様や色彩、或いは、多角形の形状や大きさが変化するパッチワーク用布片に個々に対応することが難しい。
【００４６】
そこで、本発明においては、インクジェット捺染機を使用することにより、模様域やリピート長さを考慮することなく、異なる模様や色彩、或いは、多角形の異なる形状や大きさにそれぞれ対応でき、且つ、捺染型を必要としないので同一の布帛に同時に必要な量だけの捺染を行うことができる。よって、本発明において、インクジェット捺染機を使用することを特徴とする。
【００４７】
以下、本実施形態に係るパッチワーク用布帛を各実施例により説明する。なお、各実施例においては、パッチワーク、或いは、パッチワーク・キルト作りに人気の高い綿織物を使用し、オンデマンド型でピエゾ方式の走行式インクジェット捺染機（解像度；経緯共６００ｄｐｉ）を用いて反応染料インクで捺染した。
【実施例１】
【００４８】
（布帛の準備）
本実施例１においては、綿１００％の５０番手単糸使いの平織物（布帛幅１１５ｃｍ）を使用した。使用した綿織物は、通常の方法で糊抜き・精練・漂白・シルケット加工してからインクジェット捺染のための前処理をして使用した。この綿織物に対するインクジェット捺染のための前処理は、通常の方法で行った。つまり、吐出インクのブリードを防止するブリード防止剤、反応染料の発色に必要なアルカリ剤及びその他の捺染助剤を前もって綿織物に均一に付与し乾燥した。
【００４９】
（捺染柄の準備）
本実施例１においては、幾何学柄を構成する多角形としては、１辺２０ｃｍの正方形を採用し、縦５行、横５列の計２５個の正方形からなる幾何学柄を構成した。図１は、本実施例１のパッチワーク用布帛１０を示す概略図（模様はイメージを示すに過ぎない）である。図１において、織物の長尺方向は図示上下方向である。１１５ｃｍの織物幅に対して、縦５行１００ｃｍ、横５列１００ｃｍの格子柄１１が形成されている。
【００５０】
また、２５個の正方形１２には、既存の捺染模様データベースの中からそれぞれ異なる模様を採用し、色彩も異なるものを採用した。なお、本実施例１においては、縫い代及び切断線は採用していない。本実施例１においては、マイクロコンピューターに内蔵する画像処理システムにより、上記格子柄及び各模様と色彩をデジタルデータ化してインクジェット捺染機に指令した。
【００５１】
（印捺及び発色）
マイクロコンピューターからの指令により、走行する綿織物に対して上記格子柄及び各模様と色彩を反応染料で印捺した。印捺後の綿織物を乾燥し、スチーマー発色機で反応染料を固着し、洗浄、乾燥して、複数の正方形から構成される本実施例１のパッチワーク用布帛を得た。
【実施例２】
【００５２】
（布帛の準備）
本実施例２においては、綿１００％の４０番手単糸使いの綾織物（布帛幅１１５ｃｍ）を使用した。使用した綿織物は、通常の方法で糊抜き・精練・漂白・シルケット加工してからインクジェット捺染のための前処理をして使用した。この綿織物に対するインクジェット捺染のための前処理は、上記実施例１と同様にして行った。
【００５３】
（捺染柄の準備）
本実施例２においては、幾何学柄を構成する多角形としては、底辺２０ｃｍ、高さ２０ｃｍの二等辺三角形を採用し、縦５行、横１０列の計５０個の二等辺三角形からなる幾何学柄を構成した。図２は、本実施例２のパッチワーク用布帛２０を示す概略図（模様は省略）である。図２において、織物の長尺方向は図示上下方向である。１１５ｃｍの織物幅に対して、縦５行１００ｃｍ、横１０列１１０ｃｍの幾何学柄２１が形成されている。なお、各二等辺三角形２２は、交互に１８０°回転しながら充填配列されている。
【００５４】
また、５０個の二等辺三角形２２には、既存の捺染模様データベースの中からそれぞれ異なる模様を採用し、色彩も異なるものを採用した。なお、本実施例２においては、縫い代及び切断線は採用していない。本実施例２においては、マイクロコンピューターに内蔵する画像処理システムにより、上記幾何学柄及び各模様と色彩をデジタルデータ化してインクジェット捺染機に指令した。
【００５５】
（印捺及び発色）
マイクロコンピューターからの指令により、走行する綿織物に対して上記幾何学柄及び各模様と色彩を反応染料で印捺した。印捺後の乾燥、固着、洗浄、乾燥を上記実施例１と同様にして行い、複数の二等辺三角形から構成される本実施例２のパッチワーク用布帛を得た。
【実施例３】
【００５６】
（布帛の準備）
本実施例３においては、上記実施例１と同様の綿織物を使用した。この綿織物に対するインクジェット捺染のための前処理は、上記実施例１と同様にして行った。
【００５７】
（捺染柄の準備）
本実施例３においては、幾何学柄を構成する多角形としては、長さ３５ｃｍ、幅２４ｃｍの菱形を採用し、縦３行と２行の組合せ、横４列と３列の組合せの計１８個の菱形からなる幾何学柄を構成した。図３は、本実施例３のパッチワーク用布帛３０を示す概略図（模様は省略）である。図３において、織物の長尺方向は図示上下方向である。１１５ｃｍの織物幅に対して、縦１２０ｃｍ、横１０列１１０ｃｍの幾何学柄３１が形成されている。
【００５８】
また、１８個の菱形３２には、既存の捺染模様データベースの中からそれぞれ異なる模様を採用し、色彩も異なるものを採用した。なお、本実施例２においては、縫い代３３及び切断線３４を採用し、縫い代３３は白場として印捺せず、切断線３４は破線の捺染柄として同時に印捺した。本実施例２においては、マイクロコンピューターに内蔵する画像処理システムにより、上記幾何学柄、各模様と色彩及び切断線をデジタルデータ化してインクジェット捺染機に指令した。
【００５９】
（印捺及び発色）
マイクロコンピューターからの指令により、走行する綿織物に対して上記幾何学柄、各模様と色彩及び切断線を反応染料で印捺した。印捺後の乾燥、固着、洗浄、乾燥を上記実施例１と同様にして行い、複数の菱形から構成される本実施例３のパッチワーク用布帛を得た。
【実施例４】
【００６０】
（布帛の準備）
本実施例４においては、上記実施例１と同様の綿織物を使用した。この綿織物に対するインクジェット捺染のための前処理は、上記実施例１と同様にして行った。
【００６１】
（捺染柄の準備）
図４は、本実施例４のパッチワーク用布帛４０を示す概略図（模様はイメージを示すに過ぎない）である。本実施例４においては、幾何学柄を構成する多角形としては、上記実施例１と同様の１辺２０ｃｍの正方形４２を採用し、上記実施例１と同様の縦５行、横５列の計２５個の正方形からなる格子柄４１を構成した。また、２５個の正方形４２には、上記実施例１と同様の模様及び色彩を採用した。なお、本実施例４においては、縫い代及び切断線は採用していない。
【００６２】
本実施例４においては、２５個の正方形のうち左上角に位置する１つの正方形に異なる模様が形成されている（図４参照）。すなわち、上記左上角に位置する１つの正方形には、２５個の正方形から構成された格子柄の全体が縮小された模様として印捺されている。本実施例４においては、マイクロコンピューターに内蔵する画像処理システムにより、上記格子柄、各模様と色彩及び上記縮小模様をデジタルデータ化してインクジェット捺染機に指令した。
【００６３】
（印捺及び発色）
マイクロコンピューターからの指令により、走行する綿織物に対して上記格子柄、各模様と色彩及び上記縮小模様を反応染料で印捺した。印捺後の乾燥、固着、洗浄、乾燥を上記実施例１と同様にして行い、複数の菱形から構成される本実施例４のパッチワーク用布帛を得た。なお、本実施例４のパッチワーク用布帛においては、上述のように、上記左上角に位置する１つの正方形に２５個の正方形から構成された格子柄の全体が縮小された模様として印捺されている。
【００６４】
以上のことから、上記実施例１〜４に係るパッチワーク用布帛は、１枚の綿織物からなり、この１枚の綿織物には各幾何学柄が捺染されている。これらの幾何学柄はそれぞれ正方形、二等辺三角形又は菱形からなる複数の多角形が規則的に組み合わされている。これらの幾何学柄の各多角形をカットして分割することにより、パッチワークで組み合わせる大きさの複数の布片からなる布片セットを簡単に得ることができる。
【００６５】
このことにより、パッチワーク・キルト作りをする消費者は、パッチワークに必要な複数の布帛を全幅で単位長さだけ購入するという不都合がない。また、消費者は、上記実施例１〜４のようなパッチワーク用布帛を１枚購入するだけでよく、パッチワークで組み合わせる布片の数だけ布帛を購入する必要がない。
【００６６】
また、カット後の布片セットは、１枚の綿織物からカットしたものであり、織物の種類が統一されており各布片の厚みや織組織が同じものとなる。このことにより、これらの布片セットをパッチワークで組み合わせた際に、縫い合わせが容易で全体の統一感が表現できる。更に、上記実施例１〜４にみられるように（図１〜４参照）、カット残りがほとんど生じることがなく、消費者は余分な買い物をする必要がない。
【００６７】
また、上記実施例１〜４によれば、各多角形の中は、それぞれ異なる模様又は異なる色彩で構成されている。そこで、消費者は、１枚の布帛から各布片をカットして、この布片セットを自分のイメージに合わせて自由に配置することができる。このことにより、消費者は、上記実施例１〜４のようなパッチワーク用布帛を１枚購入するだけで、変化に富んで個性的なパッチワークを容易に行うことができる。
【００６８】
また、これらの異なる模様又は異なる色彩は、インクジェット捺染により作成される。そこで、パッチワーク用布帛の生産者は、種類の異なる捺染模様を別々の布帛に捺染することなく、１種類１枚の布帛に捺染することができ、布片セットを準備する労力が大幅に軽減できる。
【００６９】
また、１枚の布帛中に捺染する各区画の模様と色彩は、自由に組み合わせることができる。そこで、生産者は、消費者の好みや流行に合わせて、統一したイメージを持つシリーズ模様を１枚の布帛中に表現することができる。このことは、消費者にとっても購入に際して選択幅が広がり、パッチワーク・キルトの分野で新たな消費者の発掘と人気の向上に繋げることができる。
【００７０】
また、上記実施例３によれば、幾何学柄を構成する各菱形のそれぞれの境界に縫い代及び切断線を設けている。このことにより、消費者がパッチワーク用布帛をカットし、縫い合わせるときに便利である。
【００７１】
また、上記実施例４によれば、格子柄を構成する複数の正方形のうち１つの正方形に格子柄の全体を縮小した模様を捺染している。そこで、パッチワーク用布帛を購入しようとする消費者は、この縮小模様の正方形の部分を見るだけで全体のイメージを掴むことができる。このことにより、手芸店での販売に際して、パッチワーク用布帛が折り畳まれている場合でも、この縮小模様の区画が表面に現れているだけで、パッチワーク用布帛の全体を広げて各区画の模様や色彩を確認することなく、消費者が購入することができる。
【００７２】
以上のことから、本発明は、１種類１枚の布帛の中にパッチワークで組み合わせる大きさの複数の布片が揃い、これら複数の布片の模様や色彩がそれぞれ変化しており、これら複数の布片をカットするだけでパッチワークに必要な布片セットを得ることができ、且つ、布帛にカット残りなどの無駄が少ないパッチワーク用布帛を提供することができる。
【００７３】
なお、本発明の実施にあたり、上記各実施例に限らず次のような種々の変形例が挙げられる。
（１）上記各実施例においては、綿織物を使用し反応染料によるインクジェット捺染を行ったが、これに限るものではなく、他の繊維素材に対して他の染料を使用してインクジェット捺染を行うようにしてもよい。
（２）上記各実施例においては、幾何学柄を構成する多角形として正方形、二等辺三角形又は菱形を採用するが、これに限るものではなく、その他の多角形を採用するようにしてもよい。
（３）上記各実施例においては、幾何学柄を構成する多角形として同一形状の１種の多角形を採用するが、これに限るものではなく、２種以上の多角形を組み合わせて幾何学柄を構成するようにしてもよい。
（４）上記各実施例においては、幾何学柄を構成する各多角形の模様又は色彩がいずれも異なるものを採用するが、これに限るものではなく、各多角形のうち同じ模様及び同じ色彩を有するものが混在するようにしてもよい。
（５）上記各実施例においては、幾何学柄を構成する各多角形は模様を有するものを採用するが、これに限るものではなく、無地の多角形を採用するようにしてもよい。また、模様と無地が混在するようにしてもよい。
（６）上記実施例４においては、２５個の正方形のうち左上角に位置する１つの正方形に全体の縮小模様が形成されている。しかし、この位置に限るものではなく、他の２４個の正方形に上記縮小模様を形成するようにしてもよい。また、１つの正方形でなく、複数個の正方形に亘って上記縮小模様を形成するようにしてもよい。
（７）上記実施例４においては、２５個の正方形のうち左上角に位置する１つの正方形に全体の縮小模様が形成されている。しかし、これに限るものではなく、２５個の正方形から構成された格子柄の上方又は下方に別の正方形を構成して、この部分に上記縮小模様を形成するようにしてもよい。
【符号の説明】
【００７４】
１０、２０、３０、４０…パッチワーク用布帛、１１、２１、３１、４１…幾何学柄、
１２、２２、３２、４２…多角形、３３…縫い代、３４…切断線、４３…縮小模様。
【図１】
2013241714.tif 000003
【図２】
2013241714.tif 000004
【図３】
2013241714.tif 000005
【図４】
2013241714.tif 000006